(57)【要約】【課題】コンパクトでありながら、カンバスを効果的に洗浄することができるカンバス洗浄装置を提供すること。【解決手段】本発明は、抄紙機のカンバスＫの洗浄に用いられるカンバス洗浄装置１００，１０１であって、カンバスＫの幅方向に延設されたクリーナーレール１０と、該クリーナーレール１０に沿って移動可能な基部１と、該基部１に取り付けられカンバスＫを洗浄するためのクリーナー部２ａ，２ｂと、該クリーナー部２ａ，２ｂ又は基部１に取り付けられカンバスＫに薬液を付与するための薬液付与部３と、を備え、薬液付与部３が、カンバスＫの走行方向に対し、クリーナー部２ａ，２ｂの下流側に設けられているカンバス洗浄装置１００，１０１である。【選択図】図１
2018168498.tif 000002
【特許請求の範囲】
【請求項１】
抄紙機のカンバスの洗浄に用いられるカンバス洗浄装置であって、
前記カンバスの幅方向に延設されたクリーナーレールと、
該クリーナーレールに沿って移動可能な基部と、
該基部に取り付けられ前記カンバスを洗浄するためのクリーナー部と、
該クリーナー部又は前記基部に取り付けられ前記カンバスに薬液を付与するための薬液付与部と、
を備え、
前記薬液付与部が、前記カンバスの走行方向に対し、前記クリーナー部の下流側に設けられているカンバス洗浄装置。
【請求項２】
前記クリーナー部及び前記薬液付与部が前記カンバスの走行方向に対し、直線状に配列されている請求項１記載のカンバス洗浄装置。
【請求項３】
前記薬液付与部が、第１支持流通管と、該第１支持流通管の先端に設けられた薬液ノズル部とからなる請求項１又は２に記載のカンバス洗浄装置。
【請求項４】
前記クリーナー部が、前記基部に固定された第２支持流通管と、該第２支持流通管の先端に設けられたクリーナーノズル部とからなり、
前記第２支持流通管に前記第１支持流通管が取り付けられている請求項３記載のカンバス洗浄装置。
【請求項５】
前記クリーナーノズル部からは、高圧水、薬液を含む高圧希釈水又は高圧エアが吹き付けられる請求項４記載のカンバス洗浄装置。
【請求項６】
前記クリーナー部が、前記基部に固定された第２支持流通管と、該第２支持流通管の先端に設けられたクリーナーブラシ部又はクリーナーブレード部とからなり、
前記第２支持流通管に前記第１支持流通管が取り付けられている請求項３記載のカンバス洗浄装置。
【請求項７】
前記クリーナー部が中空の箱状である請求項１〜３のいずれか１項に記載のカンバス洗浄装置。
【請求項８】
前記クリーナー部からは、高圧水、薬液を含む高圧希釈水又は高圧エアが吹き付けられる請求項７記載のカンバス洗浄装置。
【発明の詳細な説明】
【技術分野】
【０００１】
本発明は、カンバスの洗浄装置に関し、更に詳しくは、抄紙機のカンバスの洗浄に用いられ、クリーナー部と薬液付与部とを共に備えるカンバス洗浄装置に関する。
【背景技術】
【０００２】
紙を製造するための抄紙機は、一般に水中にパルプが分散された液を抄紙用の網（ワイヤー）に載せ、余分な水を自然落下させることにより湿紙とするワイヤーパートと、湿紙を一対のプレスロール間に通し、フェルトを介してプレスロールで押圧することにより、湿紙中の水分をフェルトに移行させ、これにより湿紙を脱水するプレスパートと、プレスパートを通過した湿紙を、カンバスを介して、加熱されたシリンダに接触させることで乾燥させ、紙とするドライヤーパートと、紙をスプールと呼ばれる棒に巻き取るリールパートと、を有する。
【０００３】
ドライヤーパートにおいては、湿紙を、加熱された複数のドライヤーロールの表面に巻き付けるようにして走行させることにより、当該湿紙の乾燥が行われる。このとき、湿紙をその外側からドライヤーロールの表面に押し付けるために、いわゆるカンバスが用いられる。すなわち、各ドライヤーロール間において、カンバスは、湿紙に当接された状態で、湿紙と共に走行することになる。
【０００４】
ところで、カンバスは、上述したように、湿紙に当接されるため、その表面に湿紙に含まれる紙粉等が転移することにより汚染する恐れがある。そして、カンバスが汚染した状態で、使用を継続した場合には、カンバスの汚染が後続の湿紙に転移してしまい、紙の製造歩留まりを著しく低下させる原因となる。
【０００５】
これに対し、カンバスを洗浄するための洗浄装置が開発されている。
例えば、カンバスにおける湿紙が接触する接触面に汚染防止剤を直接供給する供給手段と、供給手段により汚染防止剤が供給されたカンバスの接触面に圧力１０ＭＰａ以上の高圧水を噴射する高圧水噴射手段と、カンバスの接触面の、高圧水が衝突している部分の近傍を吸引する吸引手段とを具備するカンバス洗浄装置が知られている（例えば、特許文献１参照）。
また、キャリヤ側カンバスの上方に位置するリターン側カンバス上に、カンバス表面に付着する付着物を掻き取るスクレーパ装置と、そのスクレーパ装置からリターン側カンバスの移動方向の前側に、そのリターン側カンバスの幅方向全体にわたって圧力水を噴射する圧力水噴射装置と、その圧力水噴射装置からリターン側カンバスの移動方向の前側に、そのリターン側カンバスの幅方向全体にわたって水溶性剥離剤を噴霧する剥離剤噴霧装置とを設けた抄紙機におけるドライヤが知られている（例えば、特許文献２参照）。
【先行技術文献】
【特許文献】
【０００６】
【特許文献１】特開２００８−７８９７号公報
【特許文献２】特許第４９１８０２４号公報
【発明の概要】
【発明が解決しようとする課題】
【０００７】
しかしながら、上記特許文献１記載のカンバス洗浄装置においては、汚染防止剤を供給する供給手段と、高圧水噴射手段とを有しているが、両者は別体であり、且つ、一定の距離をおいて設けられているため、両者間を走行する間に、汚れが再付着する恐れがある。すなわち、仮に、高圧水噴射手段でピッチ等の汚れをカンバスから剥離させたとしても、走行中に、カンバスがドライヤによって加熱乾燥されることによって、ピッチ等の汚れが固化して、カンバスに再付着する恐れがある。
なお、供給手段と、高圧水噴射手段とを互いに近付ける方法も考えられるが、両者とも十分に大きな装置であり、ドライパート全体の設計上の観点からも、両者を近付けることは困難である。
【０００８】
また、上記特許文献２記載のドライヤにおいては、圧力水噴射装置と、剥離剤噴霧装置とを有しているが、上述したことと同様に、両者間を走行する際にピッチ等の汚れがカンバスに再付着する恐れがあり、両者を近付けることも困難である。
【０００９】
本発明は、上記事情を鑑みてなされたものであり、コンパクトでありながら、カンバスを効果的に洗浄することができるカンバス洗浄装置を提供することを目的とする。
【課題を解決するための手段】
【００１０】
本発明者等は、上記課題を解決するため鋭意検討したところ、クリーナー部と薬液付与部とを共に備え、薬液付与部を、クリーナー部の下流側に設ける構成とすることにより、上記課題を解決できることを見出し、本発明を完成させるに至った。
【００１１】
本発明は、（１）抄紙機のカンバスの洗浄に用いられるカンバス洗浄装置であって、カンバスの幅方向に延設されたクリーナーレールと、該クリーナーレールに沿って移動可能な基部と、該基部に取り付けられカンバスを洗浄するためのクリーナー部と、該クリーナー部又は基部に取り付けられカンバスに薬液を付与するための薬液付与部と、を備え、薬液付与部が、カンバスの走行方向に対し、クリーナー部の下流側に設けられているカンバス洗浄装置に存する。
【００１２】
本発明は、（２）クリーナー部及び薬液付与部がカンバスの走行方向に対し、直線状に配列されている上記（１）記載のカンバス洗浄装置に存する。
【００１３】
本発明は、（３）薬液付与部が、第１支持流通管と、該第１支持流通管の先端に設けられた薬液ノズル部とからなる上記（１）又は（２）に記載のカンバス洗浄装置に存する。
【００１４】
本発明は、（４）クリーナー部が、基部に固定された第２支持流通管と、該第２支持流通管の先端に設けられたクリーナーノズル部とからなり、第２支持流通管に第１支持流通管が取り付けられている上記（３）記載のカンバス洗浄装置に存する。
【００１５】
本発明は、（５）クリーナーノズル部からは、高圧水、薬液を含む高圧希釈水又は高圧エアが吹き付けられる上記（４）記載のカンバス洗浄装置に存する。
【００１６】
本発明は、（６）クリーナー部が、基部に固定された第２支持流通管と、該第２支持流通管の先端に設けられたクリーナーブラシ部又はクリーナーブレード部とからなり、第２支持流通管に第１支持流通管が取り付けられている上記（３）記載のカンバス洗浄装置に存する。
【００１７】
本発明は、（７）クリーナー部が中空の箱状である上記（１）〜（３）のいずれか１つに記載のカンバス洗浄装置に存する。
【００１８】
本発明は、（８）クリーナー部からは、高圧水、薬液を含む高圧希釈水又は高圧エアが吹き付けられる上記（７）記載のカンバス洗浄装置に存する。
【発明の効果】
【００１９】
本発明のカンバス洗浄装置は、クリーナー部と薬液付与部とを共に備えているので、クリーナー部による洗浄効果と、薬液付与部による薬液付与効果とを、同時にカンバスに付与することができる。
また、クリーナー部と薬液付与部とが一体となっているため、装置をコンパクトにすることができる。これにより、ドライパート全体の設計上、小さいスペースとなってしまう空間であっても、設置することが可能となる。
【００２０】
本発明のカンバス洗浄装置においては、クリーナー部と薬液付与部との間が極力狭くなっているので、カンバスがクリーナー部と薬液付与部との間を走行する際に加熱乾燥され、当該カンバスにピッチ等が再付着することを防止できる。
また、薬液付与部が、クリーナー部の下流側に設けられているので、クリーナー部でカンバスを洗浄した直後に、薬品付与部で薬液を付与することができる。これにより、カンバスを効果的に洗浄することが可能となる。
【００２１】
本発明のカンバス洗浄装置においては、クリーナー部及び薬液付与部をカンバスの走行方向に対し、直線状に配列することにより、クリーナー部が洗浄をした部分に対して、直後に、薬液付与部が薬液を付与することになるため、カンバスをより効果的に洗浄することが可能となる。
【００２２】
本発明のカンバス洗浄装置においては、薬液付与部が、第１支持流通管と、当該第１支持流通管の先端に設けられた薬液ノズル部とからなる場合、薬液付与部とクリーナー部と一体化した状態で、クリーナーレールに沿って移動させることができるので、薬液付与部のためのレール、ベルト、駆動源等を別途設ける必要がない。
また、薬液付与部が極めて軽量となるので、クリーナー部にかかる重量負荷も軽減することができる。
【００２３】
本発明のカンバス洗浄装置においては、クリーナー部が、基部に固定された第２支持流通管と、当該第２支持流通管の先端に設けられたクリーナーノズル部とからなる場合、第２支持流通管に第１支持流通管を取り付けることにより、薬液付与部をクリーナー部に簡単に取り付けることができる。このとき、クリーナーノズル部からは、高圧水、薬液を含む高圧希釈水又は高圧エアが好適に吹き付けられる。
同様に、クリーナー部が、基部に固定された第２支持流通管と、当該第２支持流通管の先端に設けられたクリーナーブラシ部又はクリーナーブレード部とからなる場合、第２支持流通管に第１支持流通管を取り付けることにより、薬液付与部をクリーナー部に簡単に取り付けることができる。
また、クリーナー部が中空の箱状である場合、クリーナー部の何れかに薬液付与部を取り付ければよい。このとき、クリーナー部からは、高圧水、薬液を含む高圧希釈水又は高圧エアが好適に吹き付けられる。
【図面の簡単な説明】
【００２４】
【図１】図１は、本発明に係るカンバス洗浄装置の第１実施形態を模式的に示す概略側面図である。
【図２】図２は、本発明に係るカンバス洗浄装置を設置したドライパートを示す概略図である。
【図３】図３は、本発明に係るカンバス洗浄装置の第２実施形態を模式的に示す概略側面図である。
【発明を実施するための形態】
【００２５】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２６】
本発明に係るカンバス洗浄装置は、抄紙機のドライヤーパートにおけるカンバスの洗浄に用いられ、クリーナー部及び薬液付与部をカンバスの幅方向に往復移動させる、いわゆる走査式の洗浄装置である。
【００２７】
（第１実施形態）
まず、本発明に係るカンバス洗浄装置の第１実施形態について説明する。
図１は、本発明に係るカンバス洗浄装置の第１実施形態を模式的に示す概略側面図である。
図１に示すように、第１実施形態に係るカンバス洗浄装置１００は、カンバスＫの幅方向に延設されたクリーナーレール１０と、当該クリーナーレール１０に沿って移動可能な基部１と、当該基部１に取り付けられカンバスＫを洗浄するためのクリーナー部２ａと、当該クリーナー部２ａに取り付けられカンバスＫに薬液を付与するための薬液付与部３と、を備える。
【００２８】
カンバス洗浄装置１００は、クリーナー部２ａと薬液付与部３とを共に備えているので、走行するカンバスＫに対し、クリーナー部２ａによる洗浄効果と、薬液付与部３による薬液付与効果とを、カンバスＫに同時に付与することができる。すなわち、洗浄効果により、カンバスＫに付着した紙粉等の付着物を除去することができ、薬液付与効果により、カンバスＫに薬液に基づく効果（例えば、薬液が汚染防止剤である場合、汚染防止効果）を付与することができる。
【００２９】
ここで、カンバスＫと平行な面におけるクリーナー部２ａと、薬液付与部３との最短距離Ｈ１は、１０ｍｍ〜１０００ｍｍであることが好ましい。
クリーナー部２ａと、薬液付与部３との最短距離Ｈ１が１０ｍｍ未満であると、最短距離Ｈ１が上記範囲内にある場合と比較して、薬液付与部３から吹き付けられる薬液が、クリーナー部２ａに付着してしまう恐れがあり、クリーナー部２ａと、薬液付与部３との最短距離Ｈ１が１０００ｍｍを超えると、クリーナー部２ａと薬液付与部３との間を走行する間に汚れが再付着する恐れがある。また、後述する薬品付与部の第１支持流通管３１が長くなり、傾き易くなる等、安定性が失われる。なお、仮に、安定性を保持しようとすると、装置自体が大きくなってしまい、ドライパート全体の設計上、小さいスペースとなってしまう空間に対しては設置できない恐れがある。
【００３０】
カンバス洗浄装置１００においては、クリーナーレール１０が、カンバスＫの幅方向に向けて延設されている。
また、クリーナーレール１０は、カンバスＫの両側の外方に設けられた図示しないフレームにより支持されている。
【００３１】
カンバス洗浄装置１００において、クリーナーレール１０には、図示しないベルト部が内蔵されており、当該ベルト部には基部１が固定されている。
そして、基部１には、クリーナー部２ａが取り付け固定されている。
更には、後述するように、クリーナー部２ａには薬液付与部３が取り付けられている。
したがって、図示しない駆動源がベルト部を移動させることにより、クリーナー部２ａ及び薬液付与部３は、基部１を介して、クリーナーレール１０に沿って往復移動するようになっている。
このとき、クリーナー部２ａ及び薬液付与部３は、カンバスＫの幅全体に対して吹き付け可能となるように、カンバスＫの両端近傍まで移動するようになっている。
【００３２】
ここで、基部１（クリーナー部２ａ及び薬液付与部３）の移動速度は、０．０２ｍ／ｍｉｎ〜７．３ｍ／ｍｉｎであることが好ましい。
基部１の移動速度が０．０２ｍ／ｍｉｎ未満であると、移動速度が上記範囲内にある場合と比較して、薬液等の吹き付け量が十分でなく、カンバスを十分に洗浄できない場合があり、移動速度が７．３ｍ／ｍｉｎを超えると、移動速度が上記範囲内にある場合と比較して、カンバスＫに対して、薬液等を均一に吹き付けることができず、ムラになり易い傾向がある。
【００３３】
クリーナー部２ａは、カンバスＫを洗浄するために、当該カンバスＫに対して、高圧水、薬液を含む高圧希釈水又は高圧エアを吹き付ける部分である。なお、当該薬液は、汚染防止剤、剥離剤、洗浄剤等を意味する。
ここで、クリーナー部２ａは、基部１に固定された逆Ｌ字状の第２支持流通管２１と、当該第２支持流通管２１の先端に設けられたクリーナーノズル部２２とからなる。
また、第２支持流通管２１の後端には、図示しない第２流通管が連結されている。
クリーナー部２ａにおいては、第２流通管を介して、第２支持流通管２１の内部を高圧水、薬液を含む高圧希釈水又は高圧エアが流通可能となっている。
そして、クリーナーノズル部２２は、第２支持流通管２１の内部を流通する高圧水、薬液を含む高圧希釈水又は高圧エアをカンバスＫに向けて吹き付けることが可能となっている。
【００３４】
薬液付与部３は、カンバスＫに薬液を付与するために、当該カンバスＫに対して、薬液を吹き付ける部分である。
なお、かかる薬液としては、特に限定されないが、例えば、汚染防止剤、剥離剤、洗浄剤が挙げられる。すなわち、上述した高圧希釈水に含まれる薬液と同義である。
これらの中でも、薬液としては、汚染防止剤を用いることが好ましく、汚染防止剤の中でも変性型シリコーンを用いたものであることがより好ましい。この場合、環境負荷が少なく、効果的にカンバスＫの汚染を防止することができる。
【００３５】
ここで、薬液付与部３は、クリーナー部２ａの第２支持流通管２１に取り付けられた逆Ｌ字状の第１支持流通管３１と、当該第１支持流通管３１の先端に設けられた薬液ノズル部３２とからなる。
また、第１支持流通管３１の後端には、図示しない第１流通管が連結されている。
クリーナー部２ａにおいては、第１流通管を介して、第１支持流通管３１の内部を薬液が流通可能となっている。
そして、薬液ノズル部３２は、第１支持流通管３１の内部を流通する薬液をカンバスＫに向けて吹き付けることが可能となっている。
【００３６】
このように、カンバス洗浄装置１００においては、薬液付与部３とクリーナー部２ａとが連結一体化した状態で、クリーナーレール１０に沿って移動させることができるので、薬液付与部３のためのレール、ベルト、駆動源等を別途設ける必要がない。
また、薬液付与部３の構造が極めてシンプルであり、且つ軽量であるので、クリーナー部にかかる重量負荷も軽減することができる。
【００３７】
薬液付与部３は、カンバスＫの走行方向に対し、クリーナー部２ａの下流側に設けられている。このため、クリーナー部２ａでカンバスＫを洗浄した直後に、薬液付与部３で薬液をカンバスＫに付与することができる。
また、クリーナー部２ａ及び薬液付与部３は、カンバスＫの走行方向に対し、直線状に配列されている。このため、クリーナー部２ａが洗浄をした部分に対して、直後に、薬液付与部３が薬液を付与することになる。
これらのことにより、カンバス洗浄装置１００においては、カンバスＫを効果的に洗浄することが可能となる。
【００３８】
カンバス洗浄装置１００において、薬液付与部３による薬液の散布量は、湿紙Ｗの通過面積当たりの不揮発分量として、０．０２ｍｇ／ｍ２〜２．０ｍｇ／ｍ２であることが好ましい。
散布量が０．０２ｍｇ／ｍ２未満であると、散布量が上記範囲内にある場合と比較して、薬液の付着量が不足し、汚染を十分に防止できない場合があり、散布量が２．０ｍｇ／ｍ２を超えると、散布量が上記範囲内にある場合と比較して、薬液自体の固形分が汚染の原因となる恐れがある。
【００３９】
図２は、本発明に係るカンバス洗浄装置を設置したドライパートを示す概略図である。
図２に示すように、カンバス洗浄装置１００は、ドライパートＤで用いられる。
ドライパートＤは、湿紙Ｗと、当該湿紙Ｗを加熱乾燥するための複数の円筒状のシリンダＤ１，Ｄ２，Ｄ３，Ｄ４，Ｄ５，Ｄ６，Ｄ７及びＤ８（以下「Ｄ１〜Ｄ８」という。）と、湿紙ＷをシリンダＤ１〜Ｄ８に押し付けるカンバスＫ１，Ｋ２と、カンバスＫ１，Ｋ２を案内するカンバスロールＫＲと、乾燥した湿紙Ｗの平滑性と紙厚を緩やかに調整するブレーカースタックロールＢと、乾燥した湿紙Ｗの平滑性と紙厚を調整するカレンダーロールＣと、を備える。
【００４０】
ドライパートＤにおいては、回転するシリンダＤ１〜Ｄ８の表面に湿紙ＷがカンバスＫ１，Ｋ２により圧接される。これにより、湿紙ＷがシリンダＤ１〜Ｄ８に付着し、同時に加熱乾燥されるようになっている。なお、湿紙Ｗは、その後、ブレーカースタックロールＢに挟持され、次いで、湿紙Ｗは、カレンダーロールＣにより高密度化される。
【００４１】
ドライパートＤにおいて、カンバスＫ１は、湿紙Ｗを押圧しながら、湿紙Ｗと共に走行する。そして、湿紙Ｗが後端のシリンダＤ８を通過した後、カンバスロールＫＲにより前端のシリンダＤ２にまで案内され、再び後続の湿紙Ｗを押圧するようになっている。すなわち、カンバスＫ１は、カンバスロールＫＲに案内されたループ状となっており、連続して回転するようになっている。なお、カンバスＫ２についても、カンバスＫ１と同様にして回転するようになっている。
【００４２】
カンバス洗浄装置１００は、カンバスＫ１が湿紙Ｗから分離されて折り返して搬送される際のカンバスＫ１の湿紙Ｗと接する側（図２でいうカンバスＫ１の上方）に設けられる。
なお、カンバス洗浄装置１００は、コンパクトな構造となっているため、ドライパートＤ全体の設計上、小さいスペースとなってしまう空間であっても、設置することが可能となっている。
【００４３】
ドライパートＤにおいて、カンバス洗浄装置１００の薬液付与部３にて、薬液を付与した後のカンバスＫ１上の水量は、０．０１ｇ／ｍ２以上７０ｇ／ｍ２以下であることが好ましい。
カンバスＫ１上の水量が０．０１ｇ／ｍ２未満であると、水量が上記範囲内にある場合と比較して、カンバスＫ１の汚れを十分に除去できない場合があり、カンバスＫ１上の水量が７０ｇ／ｍ２を超えると、水量が上記範囲内にある場合と比較して、カンバスＫ１が湿紙Ｗに再び接した場合に、当該湿紙Ｗに水跡（色抜け）が形成される恐れがある。
【００４４】
（第２実施形態）
次に、本発明に係るカンバス洗浄装置の第２実施形態について説明する。
図３は、本発明に係るカンバス洗浄装置の第２実施形態を模式的に示す概略側面図である。
図３に示すように、第２実施形態に係るカンバス洗浄装置１０１は、カンバスＫの幅方向に延設されたクリーナーレール１０と、当該クリーナーレール１０に沿って移動可能な基部１と、当該基部１に取り付けられカンバスＫを洗浄するためのクリーナー部２ｂと、当該クリーナー部２ｂに取り付けられカンバスＫに薬液を付与するための薬液付与部３と、を備える。すなわち、第２実施形態に係るカンバス洗浄装置１０１は、クリーナー部２ｂの構造が異なること以外は、第１実施形態に係るカンバス洗浄装置１００と同じである。
【００４５】
カンバス洗浄装置１０１は、クリーナー部２ｂと薬液付与部３とを共に備えているので、走行するカンバスＫに対し、クリーナー部２ｂによる洗浄効果と、薬液付与部３による薬液付与効果とを、カンバスＫに同時に付与することができる。すなわち、洗浄効果により、カンバスＫに付着した紙粉等の付着物を除去することができ、薬液付与効果により、カンバスＫに薬液に基づく効果を付与することができる。
【００４６】
カンバス洗浄装置１０１において、基部１には、中空の箱状のクリーナー部２ｂが取り付け固定されている。
また、クリーナー部２ｂには薬液付与部３が取り付けられている。
したがって、クリーナー部２ｂ及び薬液付与部３は、基部１を介して、クリーナーレール１０に沿って往復移動するようになっている。
このとき、クリーナー部２ｂ及び薬液付与部３は、カンバスＫの幅全体に対して吹き付け可能となるように、カンバスＫの両端近傍まで移動するようになっている。
【００４７】
クリーナー部２ｂは、カンバスＫを洗浄するために、当該カンバスＫに対して、高圧水、薬液を含む高圧希釈水又は高圧エアを吹き付ける部分である。
ここで、クリーナー部２ｂは、基部１に直接固定されており、逆Ｌ字状の中空箱状となっている。すなわち、第１実施形態に係るカンバス洗浄装置１００の第２支持流通管２１は有していない。
また、クリーナー部２ｂは、その内部が、図示しない第３流通管と連通されている。
クリーナー部２ｂにおいては、第３流通管を介して、クリーナー部２ｂの内部を流通する高圧水、薬液を含む高圧希釈水又は高圧エアをカンバスＫに向けて吹き付けることが可能となっている。
【００４８】
カンバス洗浄装置１０１において、薬液付与部３の第１支持流通管３１は、クリーナー部２ｂの後ろ側（カンバスの走行方向の下流側）の壁面に取り付けられている。
また、薬液付与部３は、カンバスＫの走行方向に対し、クリーナー部２ｂの下流側に設けられており、クリーナー部２ｂ及び薬液付与部３は、カンバスＫの走行方向に対し、直線状に配列されている。
【００４９】
以上、本発明の好適な実施形態について説明したが、本発明は上記実施形態に限定されるものではない。
【００５０】
本実施形態に係るカンバス洗浄装置１００，１０１において、クリーナーレール１０には、ベルト部が内蔵されており、ベルト部を移動させることにより、クリーナー部２ａ及び薬液付与部３が、基部１を介して、クリーナーレール１０に沿って往復移動するようになっているが、クリーナー部２ａ及び薬液付与部３を移動させる手段は、これに限定されない。
例えば、ベルト部の代わりに、チェーン、ワイヤー、スクリューネジ、油圧・エア圧シリンダ、リニアベアリング等が設けられており、これによりクリーナー部２ａ及び薬液付与部３を移動させてもよい。
【００５１】
第１実施形態に係るカンバス洗浄装置１００において、クリーナーノズル部２２は、第２支持流通管２１の内部を流通する高圧水、薬液を含む高圧希釈水又は高圧エアをカンバスＫに向けて吹き付けているが、クリーナーノズル部を第２流通管に直接連結し、第２支持流通管２１を介さずに、第２流通管を流通する高圧水、薬液を含む高圧希釈水又は高圧エアをカンバスＫに向けて吹き付けてもよい。
同様に、薬液ノズル部３２は、第１支持流通管３１の内部を流通する薬液をカンバスＫに向けて吹き付けているが、薬液ノズル部３２を第１流通管に直接連結し、第１支持流通管３１を介さずに、第１流通管を流通する薬液をカンバスＫに向けて吹き付けてもよい。
【００５２】
第１実施形態に係るカンバス洗浄装置１００において、クリーナー部２ａは、基部に固定された第２支持流通管２１と、該第２支持流通管２１の先端に設けられたクリーナーノズル部２２とからなっているが、クリーナーノズル部２２の代わりに、クリーナーブラシ部やクリーナーブレード部を用いてもよい。
この場合、カンバスＫに対して、高圧水、薬液を含む高圧希釈水又は高圧エアを吹き付けて洗浄する代わりに、カンバスＫをクリーナーブラシ部やクリーナーブレード部で擦って洗浄することになる。
【００５３】
本実施形態に係るカンバス洗浄装置１００，１０１は、更にバキューム装置を設けていてもよい。この場合、カンバスＫから剥離された汚れが吸引されることでカンバスＣの洗浄効率が高まる。
【００５４】
本実施形態に係るカンバス洗浄装置１００，１０１において、薬液付与部３は、着脱自在であってもよい。この場合、既存の洗浄装置に薬液付与部３を取り付けることで、簡単に本発明の構成とすることができる。
【産業上の利用可能性】
【００５５】
本発明に係るカンバス洗浄装置１００，１０１は、抄紙機のドライパートで用いられるカンバスＫを洗浄するために用いられる。
本発明に係るカンバス洗浄装置１００，１０１によれば、コンパクトでありながら、カンバスＫを効果的に洗浄することができる。
【符号の説明】
【００５６】
１・・・基部
１０・・・クリーナーレール
１００，１０１・・・カンバス洗浄装置
２ａ，２ｂ・・・クリーナー部
２１・・・第２支持流通管
２２・・・クリーナーノズル部
３・・・薬液付与部
３１・・・第１支持流通管部
３２・・・薬液ノズル部
Ｂ・・・ブレーカースタックロール
Ｃ・・・カレンダーロール
Ｄ・・・ドライパート
Ｄ１，Ｄ２，Ｄ３，Ｄ４，Ｄ５，Ｄ６，Ｄ７，Ｄ８・・・シリンダ
Ｈ１・・・最短距離
Ｋ，Ｋ１，Ｋ２・・・カンバス
ＫＲ・・・カンバスロール
Ｗ・・・湿紙
【図１】
2018168498.tif 000003
【図２】
2018168498.tif 000004
【図３】
2018168498.tif 000005